(57)【特許請求の範囲】
【請求項１】
モータにより回転するカムを有し、このカムの回転軸線に対して直角方向に弁体が押されることにより弁体に連結された可動鉄片が電磁石の磁極に押接され、電磁石の磁力により可動鉄片が吸着されることにより開弁状態が保持される電磁安全弁を備え、下流に接続したガスバーナに点火する際に、上記カムによって弁体を電磁石側に押して可動鉄片を電磁石の磁極に押接させるガス流量制御装置において、上記カムを、カムが上記弁体を最も押す方向に往復移動するように保持すると共に、この最も押す方向にカムを付勢する付勢手段を設け、カムが弁体を最も押す状態でカムが付勢手段による付勢力に抗して後退するように構成したことを特徴とするガス流量制御装置。
【請求項２】
上記電磁安全弁の弁軸を弁体からカム側に突出させ、この弁軸の先端を上記カムで直接押すようにしたことを特徴とする請求項１に記載のガス流量制御装置。
【発明の詳細な説明】
【技術分野】
【０００１】
本発明は、ガスバーナの点火時に、モータにより回転するカムで電磁安全弁を強制的に開弁させるガス流量制御装置に関する。
【背景技術】
【０００２】
上述のようなガス流量制御装置として、火力調節部の上流側にモータで回転するカムを設け、そのカムでロッドを押すように構成し、その押されたロッドの先端で電磁安全弁の弁体を強制的に開弁させるものが知られている（例えば、特許文献１参照）。
【０００３】
このものでは、点火操作がされるとモータが作動してカムを回転させる。そして、カムが上記弁体を最も押した位置で火力調節部の開度が中火相当になるように構成されており、その状態で点火器が作動してガスバーナに点火が行われる。
【０００４】
弁体には可動鉄片が連結されており、弁体が押されると、この可動鉄片が所定時間の間だけ通電される電磁石の磁極に押接される。ガスバーナが点火したことが確認されると、電磁石への通電が継続され磁極に可動鉄片が吸着保持される。この点火後、モータは更に回転して火力調節部の開度を増減することによりガスバーナの火力を調節する。この火力調節中はカムは既にロッドを押さない状態になっているが、可動鉄片が電磁石に吸着されているので電磁安全弁の弁体は開弁状態に保持され続ける。そして、消火操作がされると電磁石への通電を停止し、弁体は閉弁方向に付勢しているバネの付勢力によって閉弁方向に移動する。
【先行技術文献】
【特許文献】
【０００５】
【特許文献１】特開２００２−３２３２１８号公報（図１）
【発明の概要】
【発明が解決しようとする課題】
【０００６】
上記構成では、可動鉄片を電磁石の磁極に吸着させる際、必要最小限の電流で可動鉄片を吸着させるため、可動鉄片を磁極に対してしっかりと押接させる必要がある。そのためカムと弁体との間に位置するロッドで弁体がそれ以上移動できなくなる位置まで押さなければならない。但し、カムがロッドを最も押す状態になる前の段階で既に可動鉄片が磁極に当接してしまうと、ロッドはそれ以上弁体を押す方向には移動できないので、モータが停止するか、あるいはモータに高負荷がかかり、モータの消費電力が増大する。
【０００７】
そのため、ロッドを一体の部品で構成せず、２物品のうちの一方をシリンダ状にし、他方をピストン状にすると共に、両者の間にバネを縮設して、カムがロッドを最も押す状態でこのバネが圧縮されることにより２物品が相対的にずれてロッド全体の長さが縮むように構成されている。
【０００８】
ところが、このようにロッドをバネと２物品とで構成すると、ロッドの長さ自体が長くなり、そのため、カムと電磁安全弁との距離がロッドを介在させるために広がり、結果的に火力調節装置自体の大きさが大型化するという不具合が生じる。
【０００９】
そこで本発明は、上記の問題点に鑑み、カムと電磁安全弁との間の距離を可及的に短くすることのできるガス流量制御装置を提供することを課題とする。
【課題を解決するための手段】
【００１０】
上記課題を解決するために本発明によるガス流量制御装置は、モータにより回転するカムを有し、このカムの回転軸線に対して直角方向に弁体が押されることにより弁体に連結された可動鉄片が電磁石の磁極に押接され、電磁石の磁力により可動鉄片が吸着されることにより開弁状態が保持される電磁安全弁を備え、下流に接続したガスバーナに点火する際に、上記カムによって弁体を電磁石側に押して可動鉄片を電磁石の磁極に押接させるガス流量制御装置において、上記カムを、カムが上記弁体を最も押す方向に往復移動するように保持すると共に、この最も押す方向にカムを付勢する付勢手段を設け、カムが弁体を最も押す状態でカムが付勢手段による付勢力に抗して後退するように構成したことを特徴とする。
【００１１】
従来の構成では、カムと電磁安全弁との間に配設するロッドを２物品で構成し、かつ両者の間にバネを配設したが、上記構成ではカムが移動するようにしたので、ロッドを介在させるとしてもロッドを１部材とすることができ、その結果ロッドの長さを従来のロッドよりも短くすることができる。
【００１２】
なお、上記電磁安全弁の弁軸を弁体からカム側に突出させ、この弁軸の先端を上記カムで直接押すように構成すれば、ロッドそのものを省略することができ、カムと電磁安全弁との距離を更に短くすることができる。
【発明の効果】
【００１３】
以上の説明から明らかなように、本発明は、カムと電磁安全弁との距離を従来のものより短くすることができるので、火力調節装置自体の大きさを小型化することができる。
【図面の簡単な説明】
【００１４】
【図１】本発明の一実施の形態の構成を示す図
【図２】カムの構造を示すII-II断面図
【図３】第２の実施の形態の構成を示す図
【発明を実施するための形態】
【００１５】
図１を参照して、１は本発明による火力調節装置の主要部の一例を示す断面図である。この火力調節装置１内には流入口１１からガスが内部に流入する。このガスは図示の状態では最初に電磁安全弁３の弁体３２によって堰き止められ、弁体３２より下流側には流れない。
【００１６】
２はステッピングモータで、このステッピングモータ２の回転軸２１には主軸２２が連結されている。この主軸２２は回転軸２１と共に回転する。そして主軸２２の上端には連結軸２３が係合している。この連結軸２３は主軸２２と共に回転する。そして、連結軸２３の上端には、連結軸２３と共に回転する回転板２４が取り付けられている。この回転板２４は固定板２５に対して下方から密着しており、回転板２４に形成された貫通穴２４ａと固定板２５に形成された貫通穴２５ａとが一致すると、その一致した部分を通ってガスが上方へと流れ、図外のガスバーナに供給される。回転板２４が回転すると貫通穴２４ａと貫通穴２５ａとが一致する部分の面積が増減するので、ガスバーナに供給されるガス量が調節される。
【００１７】
上記連結軸２３にはカム板５が装着されている。図２を合わせて参照して、このカム板５には矩形の係合穴５１が形成されている。一方、連結軸２３の外周面は矩形をしており、図示のように係合穴５１を連結軸２３の外周面に係合させると、カム板５は連結軸２３と共に回転すると共に、連結軸２３に対してカム板５が往復移動できるようになる。その往復移動方向は、連結軸２３の回転軸線とカム板５の頂部５ａとを通る直線に沿った方向である。そして、連結軸２３とカム板５との間にはコイルバネ５２が縮設されており、カム板５は常に頂部５ａが回転軸線から遠ざかる方向に付勢されている。
【００１８】
上記電磁安全弁３の弁体３２とこのカム板５との間には往復移動自在なロッド４が配設されている。このロッド４は１部材で構成されており、図１において左右方向に往復移動可能であるが、左右方向のいずれにも付勢されていない状態で取り付けられている。カム板５が図２の（ａ）に示す状態から回転して同図（ｂ）に示す状態になると、カム板５によってロッド４は弁体３２に向かう方向に押されて、弁体３２を強制的に開弁する。弁体３２は弁軸３３の一端に取り付けられており、他端には可動鉄片３４が取り付けられている。弁体３２が強制的に開弁されると可動鉄片３４は電磁安全弁３に内蔵された電磁石の磁極３１に近づき、更に移動することによって可動鉄片３４が磁極３１に密着される。
【００１９】
この状態では図２（ｂ）に示すように、カム板５はコイルバネ５２の付勢力に抗して後退し、頂部５ａがロッド４を介して弁体３２を押し、可動鉄片３４が磁極３１に押接された状態でステッピングモータ２に高負荷が掛からないようにした。そして、この状態で電磁安全弁３の電磁石に所定時間通電し、図外のガスバーナが点火したことを確認するとそのまま通電を継続する。すると可動鉄片３４は磁極３１に吸着保持され、カム板５が更に回転して頂部５ａがロッド４の先端から離れても、弁体３２は開弁状態を保持し、ガスバーナへのガスの供給は継続される。そして、消火の際には電磁石への通電を停止し、可動鉄片３４を吸着していた磁力を消滅させるので、バネ３５の付勢力によって弁体３２は閉弁状態に復帰する。
【００２０】
上記構成では、カム板５を往復移動させることによりロッド４をシンプルな１部材で構成することができたため、ロッド４の長手方向の長さを従来ものより短くすることができ、その結果、カム板５と電磁安全弁３との距離が短くなって火力調節装置１全体の大きさが従来のものより小型化することができる。
【００２１】
更に火力調節装置１を小型化するため、図３に示すようにロッドを省略してもよい。この構成では、弁体３２が取り付けられている弁軸３３を弁体３２を貫通してカム板５側に延在させ、弁体３２からカム板５側に突出した先端部３３ａに図１に示したロッド４と同じ機能を持たせた。すなわち、カム板５でこの先端部３３ａを押すことにより弁体３２を強制的に開弁すると共に、可動鉄片３４を磁極３１に押接させるようにした。
【００２２】
上記図３に示す構成により、ロッドを省略できるので、図１と比較しても明らかなように、火力調節装置１の大きさを更に小型化することができる。
【００２３】
なお、本発明は上記した形態に限定されるものではなく、本発明の要旨を逸脱しない範囲内において種々の変更を加えてもかまわない。
【符号の説明】
【００２４】
１  火力調節装置
２  ステッピングモータ
３  電磁安全弁
４  ロッド
５  カム板
２４  回転板
２５  固定板
３１  磁極
３２  弁体
３３  弁軸
３４  可動鉄片
５２  コイルバネ
【図１】
0005645896.tif 000002
【図２】
0005645896.tif 000003
【図３】
0005645896.tif 000004